(57)【要約】【課題】  データ再生装置において、当該データ再生装置に着脱可能な記録媒体に記録された画像を、当該記録媒体の再生の際のメニュー画面において利用できるようにする。【解決手段】  データ記録再生装置１では、ＤＶＤ１００の或るタイトルのデータの再生中に、リモコン６０中の一時停止キーが操作されると、出力部２００に、その時点での静止画像が表示される。そして、その状態から、さらに、リモコン６０に対して、所定の操作がなされると、当該画像のデータが、ＨＤＤ３１にコピーされる。そして、ＤＶＤ１００のメニュー画面を作成する処理では、或るタイトルの背景画像のデータとして、上記のように或るタイトルの再生中になされた操作に基づいてＨＤＤ３１にコピーされた画像のデータが利用される。【選択図】        図１
2006115409.tif 000002
【特許請求の範囲】
【請求項１】
記録媒体に記録されたデータを再生する再生手段と、
情報の入力を受付ける受付手段と、
前記記録媒体に記録されたデータについて、タイトルごとに、メニュー画面における対応する画像についての情報を記憶するタイトル情報記憶手段と、
前記再生手段が前記記録媒体に記録された或るタイトルのデータを再生している期間中に、前記受付手段に対して所定の情報の入力がなされた場合、その時点で前記再生手段が再生していた画像を、前記タイトル情報記憶手段において、前記或るタイトルに対応する画像として記憶する、記憶制御手段と、
前記記録媒体のメニュー画面において、前記或るタイトルに対応した画像として、前記タイトル情報記憶手段において前記或るタイトルに対応して記憶されている画像を表示させる表示制御手段と、
特定の画像を記憶する画像記憶手段とを備え、
前記受付手段に入力される前記所定の情報は、前記再生手段の再生動作を一時停止させる情報、および、一時停止により表示されている画像を前記或るタイトルの前記メニュー画面に対応する画像として選択する情報を含み、
前記表示制御手段は、前記記録媒体のメニュー画面において、前記タイトル情報記憶手段に前記記憶制御手段によって対応する画像についての情報が記憶されていないタイトルに対応した画像として前記特定の画像を表示させる、データ再生装置。
【請求項２】
記録媒体に記録されたデータを再生する再生手段と、
情報の入力を受付ける受付手段と、
前記記録媒体に記録されたデータについて、タイトルごとに、メニュー画面における対応する画像についての情報を記憶するタイトル情報記憶手段と、
前記再生手段が前記記録媒体に記録された或るタイトルのデータを再生している期間中に、前記受付手段に対して所定の情報の入力がなされた場合、その時点で前記再生手段が再生していた画像を、前記タイトル情報記憶手段において、前記或るタイトルに対応する画像として記憶する、記憶制御手段と、
前記記録媒体のメニュー画面において、前記或るタイトルに対応した画像として、前記タイトル情報記憶手段において前記或るタイトルに対応して記憶されている画像を表示させる表示制御手段とを備える、データ再生装置。
【請求項３】
前記受付手段に入力される前記所定の情報は、前記再生手段の再生動作を一時停止させる情報、および、一時停止により表示されている画像を前記或るタイトルの前記メニュー画面に対応する画像として選択する情報を含む、請求項２に記載のデータ再生装置。
【請求項４】
特定の画像を記憶する画像記憶手段をさらに備え、
前記表示制御手段は、前記記録媒体のメニュー画面において、前記タイトル情報記憶手段に前記記憶制御手段によって対応する画像についての情報が記憶されていないタイトルに対応した画像として前記特定の画像を表示させる、請求項２または請求項３に記載のデータ再生装置。
【請求項５】
データを再生可能なデータ再生装置の制御方法であって、
前記データ再生装置に対して着脱可能な記録媒体に記録されたデータを再生するステップと、
前記記録媒体に記録されたデータの再生態様に関する情報の入力を受付けるステップと、
前記記録媒体に記録されたデータについて、タイトルごとに、メニュー画面における対応する画像についての情報を記憶するステップと、
前記記録媒体に記録された或るタイトルのデータを再生している期間中に、所定の情報の入力がなされた場合、その時点で再生している画像を、前記或るタイトルに対応する画像として記憶するステップと、
前記記録媒体のメニュー画面において、前記或るタイトルに対応した画像として、前記或るタイトルに対応して記憶されている画像を表示させるステップとを備える、データ再生装置の制御方法。
【発明の詳細な説明】
【技術分野】
【０００１】
本発明は、データ再生装置およびその制御方法に関し、特に、データ再生装置に対して着脱可能に構成された記録媒体に記録されたデータの再生が可能なデータ再生装置およびその制御方法に関する。
【背景技術】
【０００２】
従来から、データ再生装置として、ＤＶＤ（Digital Versatile Disk：デジタルバーサタイルディスク）やＣＤ（Compact disc：コンパクトディスク）等の、装置に対して着脱可能な記録媒体に記録されたデータを再生可能なものがあった。そして、このようなデータ再生装置において、データの再生に関し、種々の技術が開示されている。
【０００３】
たとえば、特許文献１では、データ再生装置に当該装置に搭載された複数枚のＤＶＤについてのメニュー画面の映像データをそれぞれ格納しておき、それらを一画面で表示させる技術が開示されている。
【０００４】
また、特許文献２では、パーソナルコンピュータ（ＰＣ）に接続された光ディスク記録再生装置において、ＰＣのハードディスクに記録されている映像情報の中からユーザに選択されたものを、メニュー用の背景画面としてＤＶＤ−Ｒに記録する技術が開示されている。
【特許文献１】特開２００３−１０１９２５号公報
【特許文献２】特開２００４−１８５６６７号公報
【発明の開示】
【発明が解決しようとする課題】
【０００５】
なお、従来では、上記したように、ＤＶＤ再生に際してのメニュー画面に関する種々の技術が開示されているものの、ＤＶＤ自体に記録された画像をメニュー画面において利用できる技術は無かった。近年、ポータブルのビデオカメラにおいてＤＶＤに記録可能なものが普及する等、ＤＶＤに、ユーザ自身が撮影した画像が記録される場面も増えてきていることから、特に、ＤＶＤに記録された画像の中でも、ユーザ自身が撮影した画像をメニュー画面において利用する、という観点から、ＤＶＤに記録されている画像をメニュー画面に利用する技術に対するニーズは、これから増加するものと考えられる。
【０００６】
本発明は、かかる実情に鑑み考え出されたものであり、その目的は、データ再生装置において、当該データ再生装置に着脱可能な記録媒体に記録された画像を、当該記録媒体の再生の際のメニュー画面において利用できるようにすることである。
【課題を解決するための手段】
【０００７】
本発明の或る局面に従ったデータ再生装置は、記録媒体に記録されたデータを再生する再生手段と、情報の入力を受付ける受付手段と、前記記録媒体に記録されたデータについて、タイトルごとに、メニュー画面における対応する画像についての情報を記憶するタイトル情報記憶手段と、前記再生手段が前記記録媒体に記録された或るタイトルのデータを再生している期間中に、前記受付手段に対して所定の情報の入力がなされた場合、その時点で前記再生手段が再生していた画像を、前記タイトル情報記憶手段において、前記或るタイトルに対応する画像として記憶する、記憶制御手段と、前記記録媒体のメニュー画面において、前記或るタイトルに対応した画像として、前記タイトル情報記憶手段において前記或るタイトルに対応して記憶されている画像を表示させる表示制御手段と、特定の画像を記憶する画像記憶手段とを備え、前記受付手段に入力される前記所定の情報は、前記再生手段の再生動作を一時停止させる情報、および、一時停止により表示されている画像を前記或るタイトルの前記メニュー画面に対応する画像として選択する情報を含み、前記表示制御手段は、前記記録媒体のメニュー画面において、前記タイトル情報記憶手段に前記記憶制御手段によって対応する画像についての情報が記憶されていないタイトルに対応した画像として前記特定の画像を表示させることを特徴とする。
【０００８】
本発明の他の局面に従ったデータ再生装置は、記録媒体に記録されたデータを再生する再生手段と、情報の入力を受付ける受付手段と、前記記録媒体に記録されたデータについて、タイトルごとに、メニュー画面における対応する画像についての情報を記憶するタイトル情報記憶手段と、前記再生手段が前記記録媒体に記録された或るタイトルのデータを再生している期間中に、前記受付手段に対して所定の情報の入力がなされた場合、その時点で前記再生手段が再生していた画像を、前記タイトル情報記憶手段において、前記或るタイトルに対応する画像として記憶する、記憶制御手段と、前記記録媒体のメニュー画面において、前記或るタイトルに対応した画像として、前記タイトル情報記憶手段において前記或るタイトルに対応して記憶されている画像を表示させる表示制御手段とを備えることを特徴とする。
【０００９】
また、本発明に従ったデータ再生装置では、前記受付手段に入力される前記所定の情報は、前記再生手段の再生動作を一時停止させる情報、および、一時停止により表示されている画像を前記或るタイトルの前記メニュー画面に対応する画像として選択する情報を含むことが好ましい。
【００１０】
また、本発明に従ったデータ再生装置は、特定の画像を記憶する画像記憶手段をさらに備え、前記表示制御手段は、前記記録媒体のメニュー画面において、前記タイトル情報記憶手段に前記記憶制御手段によって対応する画像についての情報が記憶されていないタイトルに対応した画像として前記特定の画像を表示させることが好ましい。
【００１１】
本発明に従ったデータ再生装置の制御方法は、データを再生可能なデータ再生装置の制御方法であって、前記データ再生装置に対して着脱可能な記録媒体に記録されたデータを再生するステップと、前記記録媒体に記録されたデータの再生態様に関する情報の入力を受付けるステップと、前記記録媒体に記録されたデータについて、タイトルごとに、メニュー画面における対応する画像についての情報を記憶するステップと、前記記録媒体に記録された或るタイトルのデータを再生している期間中に、所定の情報の入力がなされた場合、その時点で再生している画像を、前記或るタイトルに対応する画像として記憶するステップと、前記記録媒体のメニュー画面において、前記或るタイトルに対応した画像として、前記或るタイトルに対応して記憶されている画像を表示させるステップとを備えることを特徴とする。
【発明の効果】
【００１２】
本発明によると、ユーザが、記録媒体に記録された再生中に所定の情報の入力を行なうことにより、メニュー画面では、その時点で再生されているタイトルに対応する画像として、その時点で再生されている画像が表示されることになる。
【００１３】
これにより、データ再生装置において、記録媒体のメニュー画面において、当該記録媒体に記録された画像が利用されるようになる。
【００１４】
また、メニュー画面に利用する画像を記憶させる際、ユーザは、再生を一時停止させることにより記憶させる画像を十分確認した上で、記憶させることができるため、ユーザにとって、データ再生装置が使い勝手の良いものとなる。
【００１５】
また、メニュー画面に利用する画面を記憶させる処理が行なわれていないタイトルについては、データ再生装置に予め記憶された画像が、メニュー画面において、対応して表示されることから、ユーザが、メニュー画面で表示させる画像として特に記憶させる画像を選択する必要が無いと判断したタイトルについて、余計な操作を要求されることを回避することができる。
【発明を実施するための最良の形態】
【００１６】
以下、図面を参照しつつ、本発明のデータ再生装置の一実施の形態であるデータ記録再生装置について説明する。なお、同じ構成要素には、同じ符号を付し説明を繰返さない。
【００１７】
図１に、本発明の一実施の形態であるデータ記録再生装置１の制御ブロック図を示す。
【００１８】
データ記録再生装置１は、基本的に、外部のリモートコントロール部（リモコン）６０に対する操作に基づいて動作する。また、データ記録再生装置１は、当該データ記録再生装置１の動作を全体的に制御するＣＰＵ（Central Processing Unit）１０、外部からのデータを受信するためのアンテナ５、アンテナ５から受信したデータをエンコードするエンコーダ部２、エンコーダ部２においてエンコードされたデータを記録または再生するにデータを蓄積する記録再生部３、エンコーダ部２においてエンコードされたデータを再生するためにデコードするデコーダ部４、および、リモコン６０から赤外線等で送られる外部からの信号を受信しＣＰＵ１０に伝達するリモートコントローラインターフェイス（リモコンＩ／Ｆ）６を含む。
【００１９】
エンコーダ部２では、テレビチューナ（ＴＶチューナ）２０によりアンテナ５で受信する電波の周波数が調整され、アナログ／デジタル（Ａ／Ｄ）変換部２１によりアンテナ５で受信した電波またはビデオ入力端子２３を介して外部から入力されるデータのＡ／Ｄ変換がなされ、エンコーダ２２によりＡ／Ｄ変換後のデータのエンコードがなされる。Ａ／Ｄ変換部２１にはスイッチ２１Ａが備えられている。スイッチ２１Ａは、一端をＡ／Ｄ変換部２１側の端子２１Ｐに固定され、他端を、リモコン６０からの入力内容に基づいて、ＴＶチューナ２０側の端子２０Ｘまたはビデオ入力端子２３側の端子２３Ｘに接続される。
【００２０】
記録再生部３では、エンコーダ部２でエンコードされたデータが、バッファであるＲＡＭ（Random Access Memory）３０で一時的に記録される。再生切換部３２は、ＲＡＭ３０に記憶されたデータを、そのまま再生させるか、ハードディスクドライブ（ＨＤＤ）３１に書込むか、または、ＤＶＤドライブ３３にセットされたＤＶＤ１００に書込むかを切り替える。再生切換部３２が、ＲＡＭ３０に記憶されたデータを、そのまま再生させるか、ＨＤＤ３１に書込むかは、ＤＶＤ１００に書込むかは、ＣＰＵ１０により制御される。
【００２１】
デコーダ部４では、デコーダ４０により再生切換部３２から送られるデータ（ＲＡＭ３０、ＨＤＤ３１、または、ＤＶＤ１００に記憶されたデータ）がデコードされ、デジタル／アナログ変換部（Ｄ／Ａ変換部）４１によりデコードされたデータがアナログデータに変換される。このアナログデータは、外部の出力部２００等のモニタおよび／スピーカに出力され、再生される。
【００２２】
図２に、リモコン６０の一例の平面図を示す。リモコン６０は、「０」〜「９」の１０個の番号にそれぞれ対応する１０個のキーからなる数字キー６００と、データ記録再生装置１にＨＤＤ３１に記録されたデータの再生動作を実行させる再生キー６０１と、当該データの早送り動作を実行させる早送りキー６０２と、当該データの巻き戻し動作を実行させる巻き戻しキー６０３と、動作を停止させる停止キー６０４と、動作を一時停止させる一時停止キー６０５と、メニュー画面を表示させるためのメニューキー６１０と、表示された情報を選択する際に操作される決定キー６１１とを含む。なお、データ記録再生装置１では、データの再生動作中に一時停止キー６０５が操作されると、データの再生動作が一時的に停止され、次に再生キー６０１が操作されるまで、その時点で再生されていた画像が静止画として表示される。
【００２３】
図３に、ＨＤＤ３１において定義されている記憶領域を模式的に示す図である。
【００２４】
ＨＤＤ３１では、ＤＶＤドライブ３３にセットされているＤＶＤ１００について各タイトルの背景画像に関する情報を記憶するためのＤＶＤ管理情報記憶領域３１１、各タイトルの背景画像のデータが保存されるタイトル背景画像保存領域３１２、ＤＶＤ１００のメニュー画面においてタイトルの背景画像に利用可能な画像のデータを記憶するためのデフォルト画像保存領域３１３、ＤＶＤ１００のメニュー画面を構成するデータを記憶するためのメニュー画面情報記憶領域３１４、および、ＣＰＵ１０の実行するプログラムのデータを含む種々のデータを記憶するためのデータ記憶領域３１０が定義されている。なお、上記のメニュー画面とは、ＤＶＤ１００がデータ記録再生装置１を含むＤＶＤプレーヤにおいてに再生される際に表示される初期画面であり、ＤＶＤ１００にどのようなタイトルがコンテンツとして記録されているかを表示するための画面である。
【００２５】
図４に、ＤＶＤ管理情報記憶領域３１１に記憶されている情報を模式的に示す。
【００２６】
図４を参照して、ＤＶＤ管理情報記憶領域３１１には、ＤＶＤ１００のタイトルごとに、背景画像情報が記憶されている。背景画像情報とは、メニュー画面におけるタイトルごとの背景を構成する画像に関する情報であり、当該画像の出所を示す情報である「データ源」と、当該画像のデータが保存されるアドレスまたは保存されるファイル名を示す情報である「アドレス／ファイル名」とを含む。
【００２７】
データ記録再生装置１では、ＤＶＤ１００のメニュー画面を作成する際、各タイトルについての背景画像を、ＤＶＤ１００の各タイトルの中の画像を利用することも可能であるし、ＨＤＤ３１のデフォルト画像保存領域３１３に記憶されている画像を利用することも可能である。ＤＶＤ管理情報記憶領域３１１では、前者の場合、データ源として「ＤＶＤ」が記憶され、後者の場合、データ源として「ＨＤ」が記憶されている。
【００２８】
タイトルの背景画像にＤＶＤ１００に記録された画像が利用される際には、対応する画像のデータが、一時的に、タイトル背景画像保存領域３１２に保存される。データ源として「ＤＶＤ」が記憶されている場合には、「アドレス／ファイル名」として、「ＰＰＰＰ」等、対応する画像のタイトル背景画像保存領域３１２における保存場所（アドレス）が記憶される。一方、データ源として「ＨＤ」が記憶されている場合には、「アドレス／ファイル名」として、「画像Ａ」等、デフォルト画像保存領域３１３に記憶された対応する画像のファイル名が記憶される。
【００２９】
なお、図４に示されたテーブル中の各タイトルについて、「データ源」のデフォルト値は「ＨＤ」であり、「アドレス／ファイル名」のデフォルト値は、「基本画像」である。
【００３０】
図５に、タイトル背景画像保存領域３１２に記憶されている情報を模式的に示す。
【００３１】
図５を参照して、タイトル背景画像保存領域３１２では、ＤＶＤ１００に記憶されている一部の画像のデータが、保存されている。なお、各画像のデータは、タイトル背景画像保存領域３１２におけるアドレスに関連付けられている。
【００３２】
図６に、デフォルト画像保存領域３１３に記憶されている情報を模式的に示す。
【００３３】
図６を参照して、デフォルト画像保存領域３１３では、複数の画像のデータが、それぞれファイル名に関連付けられて記憶されている。
【００３４】
図７は、データ記録再生装置１においてＤＶＤ１００に記録されたデータが再生される際にＣＰＵ１０が実行する処理である再生処理のフローチャートである。以下、図７を参照して、ＤＶＤ１００に記録されたデータが再生される際のデータ記録再生装置１の動作を説明する。
【００３５】
リモコン６０に対して、ＤＶＤ１００に記録されたデータを再生するモードに切り替えるための操作がなされると、ＣＰＵ１０は、ステップＳＡ（以下、「ステップ」を省略する）１で、さらにリモコン６０に対して操作がなされたか否かを判断し、操作がなされたと判断するとＳＡ２に処理を進める。
【００３６】
ＳＡ２では、ＣＰＵ１０は、操作されたのは一時停止キー６０５であったか否かを判断し、そうであると判断するとＳＡ３へ、そうではないと判断するとＳＡ１０へ、それぞれ処理を進める。
【００３７】
ＳＡ３では、ＣＰＵ１０は、ＤＶＤ１００における現在の再生位置の画像を静止画像として出力部２００に表示させ、ＳＡ４に処理を進める。
【００３８】
ＳＡ４では、再生キー６０１が操作されたか否かを判断し、そうであると判断するとＳＡ９へ、そうではないと判断するとＳＡ５へ、それぞれ処理を進める。
【００３９】
ＳＡ９では、ＣＰＵ１０は、再度、現在の再生位置から通常の再生動作を再開させて、ＳＡ１に処理を戻す。
【００４０】
一方、ＳＡ５では、ＣＰＵ１０は、リモコン６０においてメニューキー６１０が操作されたか否かを判断し、そうであると判断するとＳＡ６へ、そうではないと判断するとＳＡ１０へ、それぞれ処理を進める。
【００４１】
ＳＡ６では、ＣＰＵ１０は、出力部２００に、メニュー画面を表示させる。メニュー画面の一例を図８に示す。
【００４２】
図８を参照して、画面２０１には、「この場面をタイトル背景画像に設定しますか？」というメッセージとともに、「はい」と「いいえ」というそれぞれのメッセージを記載されたキーが表示されている。データ記録再生装置１では、たとえば、早送りキー６０２と巻き戻しキー６０３とを適宜操作されることにより、メニュー画面中の「はい」か「いいえ」のいずれか一方を選択することができる。
【００４３】
なお、図８を用いて説明したようなメニュー画面は、ＳＡ３で表示が開始された静止画像に重ねるように表示されることが好ましい。特に、メニュー画面は、静止画像がよく視認できるように、メニュー画面のメッセージ以外の部分を透過されて表示されることが好ましい。
【００４４】
次に、ＣＰＵ１０は、ＳＡ７で、メニュー画面において「はい」が選択された状態で、つまり、現在表示されている静止画像を当該静止画像が含まれるＤＶＤ１００中のタイトルの背景画像に設定することに同意する状態で、決定キー６１１が操作されたか否かを判断し、操作されたと判断するとＳＡ８へ処理を進める。一方、決定キー６１１ではなく他のキーが操作されたと判断すると、ＣＰＵ１０は、ＳＡ１０に処理を進める。
【００４５】
ＳＡ８では、ＣＰＵ１０は、現在出力部２００で表示されている静止画像のデータを、タイトル背景画像保存領域３１２に保存して、ＳＡ１に処理を戻す。なお、この場合、ＣＰＵ１０は、さらに、ＤＶＤ管理情報記憶領域３１１に、現在再生中のタイトルに関連付けて、データ源として「ＤＶＤ」を、アドレス／ファイル名としてＳＡ８において静止画像のデータを保存したアドレスを、それぞれ記憶させる。たとえば、現在１番目のタイトルを再生中であり、ＳＡ８において、タイトル背景画像保存領域３１２の「ＰＰＰＰ」というアドレスに静止画像が保存された場合には、図４に示されるように、ＤＶＤ管理情報記憶領域３１１では、タイトル「１」に関連付けられて、データ源として「ＤＶＤ」が、アドレス／ファイル名として「ＰＰＰＰ」が、それぞれ記憶される。
【００４６】
ＳＡ１０では、ＣＰＵ１０は、操作されたキーが停止キー６０４であったか否かを判断し、停止キーであったと判断すると、再生処理を終了させる。一方、操作されたのが停止キー６０４以外のキーであったと判断すると、ＳＡ１１で、操作されたキーに応じた処理を実行した後、ＳＡ１に処理を戻す。
【００４７】
図９は、データ記録再生装置１において、ＤＶＤ１００に対してメニュー画面を作成するためにＣＰＵ１０が実行するタイトルメニュー作成処理のフローチャートである。以下に、図９を参照して、タイトルメニュー作成処理の内容を説明する。
【００４８】
タイトルメニュー作成処理では、ＣＰＵ１０は、まずＳＢ１で、以降の処理で利用する変数である「Ｎ」を１に設定して、ＳＢ２に処理を進める。
【００４９】
ＳＢ２では、ＣＰＵ１０は、図４に示したようなＤＶＤ管理情報記録領域の記憶内容をチェックすることにより、ＤＶＤ１００のＮ番目のタイトルについて、背景画像として利用する画像が、タイトル背景画像保存領域３１２に保存されているか否かを判断し、そうであると判断するとＳＢ３へ、そうではないと判断するとＳＢ４へ、それぞれ処理を進める。なお、ＳＢ２における判断は、たとえば、図４に示されたようなテーブルの「データ源」の欄に「ＤＶＤ」という情報が記憶されているか否かを判断することによって、行なわれる。
【００５０】
ＳＢ３では、ＣＰＵ１０は、Ｎ番目のタイトルの背景画像として、タイトル背景画像保存領域３１２から、対応する画像のデータを選択して、メニュー画面情報記憶領域３１４の適切な保存場所に、Ｎ番目のタイトルの背景画像を構成するデータとしてコピーして、ＳＢ５に処理を進める。ここで、対応する画像のデータとは、図４に示されたようなテーブル中の「アドレス／ファイル名」として記憶されたアドレスに記憶されている画像のデータを意味する。
【００５１】
また、ＳＢ４では、ＣＰＵ１０は、Ｎ番目のタイトルの背景画像として、デフォルト画像保存領域３１３から、対応する画像のデータを選択して、メニュー画面情報記憶領域３１４の適切な保存場所に、Ｎ番目のタイトルの背景画像を構成するデータとしてコピーして、ＳＢ５に処理を進める。ここで、対応する画像のデータとは、図４に示されたようなテーブル中の「アドレス／ファイル名」として記憶されたファイル名と同じファイル名の画像のデータを意味する。なお、ＣＰＵ１０は、ＳＢ４の処理として、さらに、デフォルト画像保存領域３１４中のどの画像をＮ番目のタイトルの背景画像として選択するかの入力を受付ける処理を実行し、そして、当該受付けた画像のデータを、対応する画像のデータとしてメニュー画面情報記憶領域３１４にコピーする処理を実行することが好ましい。
【００５２】
ＳＢ５では、ＣＰＵ１０は、ＮがＭに達したか否かを判断する。なお、Ｍは、現在処理対象となっているＤＶＤ１００中の総タイトル数である。そして、ＣＰＵ１０は、ＮがまだＭに到達していないと判断すれば、ＳＢ６で、Ｎを１だけ加算更新して、ＳＢ１に処理を戻す。一方、ＣＰＵ１０は、ＮがＭに到達したと判断すると、タイトルメニュー作成処理を終了させる。
【００５３】
このようなタイトルメニュー作成処理に従ってメニュー画面を構成する情報が生成されることにより、ＤＶＤ１００のメニュー画面として、タイトルの背景画像に、当該ＤＶＤ１００中の対応するタイトルの中の画像（ユーザが、一時停止キー６０５等を操作することにより選択した画像）が利用された画面が作成される。
【００５４】
つまり、このような態様でＤＶＤ１００におけるメニュー画面が作成されることにより、データ記録再生装置１は、ＤＶＤ１００のメニュー画面として、タイトルの背景画像が当該ＤＶＤ１００の対応するタイトル中の画像とされた画面を表示できる。
【００５５】
以上説明した本実施の形態では、ＤＶＤの各タイトルの背景画像は、静止画像として記載されたが、本発明は、これに限定されない。つまり、一時停止の際に、適宜動画が表示される場合には、当該動画が、対応するタイトルの背景画像とされるように構成されても良い。
【００５６】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、単独で適用されても良いし、可能な限り、組合せて適用されても良い。
【図面の簡単な説明】
【００５７】
【図１】本発明のデータ再生装置の一実施の形態であるデータ記録再生装置の制御ブロック図である。
【図２】図１のリモコンの一例の平面図である。
【図３】図１のデータ記録再生装置のＨＤＤにおいて定義されている記憶領域を模式的に示す図である。
【図４】図３のＤＶＤ管理情報記憶領域に記憶されている情報を模式的に示す図である。
【図５】図３のタイトル背景画像保存領域に記憶されている情報を模式的に示す図である。
【図６】図３のデフォルト画像保存領域に記憶されている情報を模式的に示す図である。
【図７】図１のデータ再生録画装置においてＣＰＵが実行する再生処理のフローチャートである。
【図８】図７の再生処理の際に図１の出力部に表示される画面の一例を示す図である。
【図９】図１のデータ再生録画装置においてＣＰＵが実行するタイトルメニュー作成処理のフローチャートである。
【符号の説明】
【００５８】
１  データ記録再生装置、２  エンコーダ部、３  記録再生部、４  デコーダ部、５  アンテナ部、６  リモコンＩ／Ｆ、１０  ＣＰＵ、２２  エンコーダ、３０  ＲＡＭ、３１  ＨＤＤ、３３  ＤＶＤドライブ、４０  デコーダ、６０  リモコン、１００  ＤＶＤ、２００  出力部、３１０  データ記憶領域、３１１  ＤＶＤ管理情報記憶領域、３１２  タイトル背景画像保存領域、３１３  デフォルト画像保存領域、３１４  メニュー画面情報記憶領域、６００  数字キー、６０１  再生キー、６０２  早送りキー、６０３  巻き戻しキー、６０４  停止キー、６０５  一時停止キー、６１０  メニューキー、６１１  決定キー。
【図１】
2006115409.tif 000003
【図２】
2006115409.tif 000004
【図３】
2006115409.tif 000005
【図４】
2006115409.tif 000006
【図５】
2006115409.tif 000007
【図６】
2006115409.tif 000008
【図７】
2006115409.tif 000009
【図８】
2006115409.tif 000010
【図９】
2006115409.tif 000011